(57)【要約】【課題】ユーザの操作負担を軽減して利便性を向上させることができるとともに、ユーザの意思を反映したオーディオ再生を実現することができる「オーディオ再生装置」を提供すること。【解決手段】制御手段１１によるリピートモード設定手段１０の制御により、任意のオーディオデータをその先頭から再生するための入力操作の回数が所定の時間的な条件の下で所定回数に達した場合に、リピートモードを設定するための煩雑な入力操作を要さずに自動的にリピートモードを設定すること。【選択図】図１
2010073232.tif 000002
【特許請求の範囲】
【請求項１】
メディアに記憶されているオーディオデータを、設定された再生モードにしたがって再生する再生手段と、
この再生手段に対して、同一のオーディオデータをリピート再生する再生モードであるリピートモードを設定するリピートモード設定手段と、
このリピートモード設定手段を制御する制御手段と
を備え、
前記制御手段は、
前記リピートモード以外の再生モードの設定状態において、任意のオーディオデータの再生時間が再生所要時間に対して所定の割合以上の割合を示す再生時間となっている状況下で行われた前記任意のオーディオデータをその先頭から再生するための入力操作の回数と、前記リピートモード以外の再生モードの設定状態において、前記任意のオーディオデータの再生終了後、当該任意のオーディオデータの次に再生されるオーディオデータの再生が開始されてから所定時間内に行われた前記任意のオーディオデータをその先頭から再生するための入力操作の回数との合計が所定回数に達した場合に、前記リピートモードが設定されるように前記リピートモード設定手段を制御し、
この制御による前記リピートモードの設定後に、前記任意のオーディオデータのリピート再生を終了させるための入力操作が行われたことが確認された場合に、前記リピートモードの設定が解除されるように前記リピートモード設定手段を制御すること
を特徴とするオーディオ再生装置。
【請求項２】
前記リピート再生を終了させるための入力操作は、前記任意のオーディオデータ以外のオーディオデータを再生するための入力操作を含むこと
を特徴とする請求項１に記載のオーディオ再生装置。
【請求項３】
前記リピート再生を終了させるための入力操作は、オーディオ再生装置本体を駆動する電源をオフにするための入力操作を含むこと
を特徴とする請求項１または請求項２に記載のオーディオ再生装置。
【請求項４】
前記リピートモード以外の再生モードは、複数のオーディオデータをその属性に基づいて定められた所定の再生順にしたがって順次再生する通常モード、または、複数のオーディオデータを前記所定の再生順によらずに順不同に再生する再生モードであるシャッフルモードであること
を特徴とする請求項１乃至請求項３のいずれか１項に記載のオーディオ再生装置。
【発明の詳細な説明】
【技術分野】
【０００１】
本発明は、オーディオ再生装置に係り、特に、オーディオデータのリピート再生を行うのに好適なオーディオ再生装置に関する。
【背景技術】
【０００２】
従来から、車載器に搭載された車載用オーディオ再生装置においては、内蔵のＣＤチェンジャに搭載されたＣＤや、外部から接続されたｉＰｏｄ（商標）等の携帯音楽プレーヤやＵＳＢメモリ等といった各種のメディアに記憶された楽曲を再生することが可能とされていた。
【０００３】
また、この種の車載用オーディオ再生装置には、同一の楽曲を繰り返し再生するリピート再生の機能が備えられたものもあった。
【０００４】
このようなリピート再生の機能が備えられた車載用オーディオ再生装置においては、楽曲の再生中において、例えば、車内モニタに表示されたオーディオ再生用のメニューからリピート再生の選択肢を選択して決定操作を行うことによって、再生中の楽曲をリピート再生するリピートモードが設定されるようになっていた。
【０００５】
【特許文献１】特開２００８−０４７２５９号公報
【発明の開示】
【発明が解決しようとする課題】
【０００６】
しかしながら、従来は、リピートモードの設定のための煩雑な操作を行わなければリピート再生を行うことができなかったため、ユーザの操作負担が過大となり、利便性が悪かった。
【０００７】
また、従来から、オーディオ再生装置の使用態様においては、楽曲の再生中に、もう一度同じ楽曲を聴きたくなってその楽曲を先頭に戻って再び再生するための入力操作（例えば、トラックダウン操作）が行われることが珍しくなかったが、このような入力操作が繰り返し行われる場合には、リピートモードの設定は面倒であるがこの楽曲を何度も繰り返し聞きたいというユーザの心理が少なからず働いていると思われる。しかるに、従来は、このようなユーザの意思を反映した再生モードの設定を行うことができなかった。
【０００８】
そこで、本発明は、このような問題点に鑑みなされたものであり、ユーザの操作負担を軽減して利便性を向上させることができるとともに、ユーザの意思を反映したオーディオ再生を実現することができるオーディオ再生装置を提供することを目的とするものである。
【課題を解決するための手段】
【０００９】
前述した目的を達成するため、本発明に係るオーディオ再生装置は、メディアに記憶されているオーディオデータを、設定された再生モードにしたがって再生する再生手段と、この再生手段に対して、同一のオーディオデータをリピート再生する再生モードであるリピートモードを設定するリピートモード設定手段と、このリピートモード設定手段を制御する制御手段とを備え、前記制御手段は、前記リピートモード以外の再生モードの設定状態において、任意のオーディオデータの再生時間が再生所要時間に対して所定の割合以上の割合を示す再生時間となっている状況下で行われた前記任意のオーディオデータをその先頭から再生するための入力操作の回数と、前記リピートモード以外の再生モードの設定状態において、前記任意のオーディオデータの再生終了後、当該任意のオーディオデータの次に再生されるオーディオデータの再生が開始されてから所定時間内に行われた前記任意のオーディオデータをその先頭から再生するための入力操作の回数との合計が所定回数に達した場合に、前記リピートモードが設定されるように前記リピートモード設定手段を制御し、この制御による前記リピートモードの設定後に、前記任意のオーディオデータのリピート再生を終了させるための入力操作が行われたことが確認された場合に、前記リピートモードの設定が解除されるように前記リピートモード設定手段を制御することを特徴としている。
【００１０】
そして、このような構成によれば、制御手段によるリピートモード設定手段の制御により、リピートモード以外の再生モードの設定状態において、任意のオーディオデータの再生時間が再生所要時間に対して所定の割合以上の割合を示す再生時間となっている状況下で行われた前記任意のオーディオデータをその先頭から再生するための入力操作の回数と、リピートモード以外の再生モードの設定状態において、前記任意のオーディオデータの再生終了後、当該任意のオーディオデータの次に再生されるオーディオデータの再生が開始されてから所定時間内に行われた前記任意のオーディオデータをその先頭から再生するための入力操作の回数との合計が所定回数に達した場合には、リピートモードを設定するための煩雑な入力操作を要さずに自動的にリピートモードを設定することができるため、ユーザの操作負担を軽減して利便性を向上させることができるとともに、ユーザの意思を反映したオーディオ再生を実現することができる。
【００１１】
また、前記リピート再生を終了させるための入力操作は、前記任意のオーディオデータ以外のオーディオデータを再生するための入力操作を含んでいてもよい。
【００１２】
そして、このような構成によれば、簡便な操作によってリピートモードの設定を解除することができるため、ユーザの操作負担をさらに軽減することができる。
【００１３】
さらに、前記リピート再生を終了させるための入力操作は、オーディオ再生装置本体を駆動する電源をオフにするための入力操作を含んでいてもよい。
【００１４】
そして、このような構成によれば、簡便な操作によってリピートモードの設定を解除することができるため、ユーザの操作負担をさらに軽減することができる。
【００１５】
さらにまた、前記リピートモード以外の再生モードは、複数のオーディオデータをその属性に基づいて定められた所定の再生順にしたがって順次再生する通常モード、または、複数のオーディオデータを前記所定の再生順によらずに同不順に再生する再生モードであるシャッフルモードでもよい。
【００１６】
そして、このような構成によれば、通常モードまたはシャッフルモードからリピートモードへの設定の変更を簡便に行うことができる。
【発明の効果】
【００１７】
本発明によれば、ユーザの操作負担を軽減して利便性を向上させることができるとともに、ユーザの意思を反映したオーディオ再生を実現することができる。
【発明を実施するための最良の形態】
【００１８】
以下、本発明に係るオーディオ再生装置の一例としての車載用オーディオ再生装置の実施形態について、図１および図２を参照して説明する。
【００１９】
図１に示すように、本実施形態における車載用オーディオ再生装置１は、プログラムに基づいてオーディオ再生に関する種々の処理や制御を行うマイコン２と、このマイコン２にそれぞれ接続されたメディア３、車載用オーディオ再生装置１に内蔵のメモリ４、入力操作部５、スピーカ６および表示部７とによって構成されている。
【００２０】
メディア３には、オーディオデータとしての楽曲データ（１曲分）が複数曲分記憶されており、この楽曲データは、その楽曲の曲名、アーティスト名、トラック番号等の付加情報とともに記憶されている。
【００２１】
なお、楽曲データは、例えば、ＭＰ３等の圧縮方式によって圧縮されたオーディオ圧縮ファイルの状態として記憶されていてもよい。
【００２２】
また、メディア３は、例えば、車載用オーディオ再生装置１に内蔵のＣＤチェンジャに搭載されたＣＤであってもよく、または、車載用オーディオ再生装置１に内蔵のハードディスクドライブであってもよく、あるいは、車載用オーディオ再生装置１に着脱可能とされた携帯音楽プレーヤ、ＵＳＢメモリ、携帯電話またはＳＤメモリ等であってもよい。
【００２３】
さらに、メモリ４には、メディア３に記憶されている楽曲データにおける付加情報が記憶されるようになっており、この付加情報は、楽曲データのプレイリストの表示部７への表示等に用いられることが可能とされている。
【００２４】
さらにまた、入力操作部５は、ボタンスイッチ、リモコン、表示部７のタッチパネル、ロータリエンコーダまたはリニアエンコーダ等であってもよい。
【００２５】
また、図１に示すように、マイコン２は、その機能ブロックとして、再生手段としての再生部８を有しており、この再生部８は、メディア３に記憶された楽曲データを取得し、取得された楽曲データを、設定された再生モードにしたがって再生するようになっている。この再生部８によって再生される楽曲データは、スピーカ６を通じて音声出力されるようになっている。
【００２６】
さらに、マイコン２は、その機能ブロックとして再生モード設定部１０を有しており、この再生モード設定部１０は、入力操作部５を用いてユーザが指定した再生モードを再生部８に対して設定可能とされている。
【００２７】
なお、再生モード設定部１０は、再生モードを設定するための操作画面を表示部７に表示した上で、この操作画面における入力操作にしたがった再生モードを再生部８に対して設定するようにしてもよい。
【００２８】
再生モードの一例としては、複数曲の楽曲をその属性（例えば、メディア３内におけるトラック番号、曲名の頭文字等）に基づいて車載用オーディオ再生装置１（再生モード設定部１０）側で定められた所定の再生順にしたがって順次再生する再生モードである通常モードを挙げることができる。
【００２９】
この通常モードの設定状態においては、メディア３に記憶された楽曲が、例えば、トラック番号順または曲名の頭文字の音順（５０音順）に順次再生されることになる。
【００３０】
また、再生モードの他の一例としては、同一の楽曲をリピート再生（繰り返し再生）する再生モードであるリピートモードを挙げることができる。
【００３１】
このようなリピートモードが設定される場合には、再生モード設定部１０は、リピートモード設定手段として機能することになる。
【００３２】
さらに、再生モードの他の一例としては、複数の楽曲を通常モードにおける再生順によらずに順不同に再生する再生モードであるシャッフルモード（ランダムモード）を挙げることができる。
【００３３】
さらに、マイコン２は、その機能ブロックとして、制御手段としての制御部１１を有しており、この制御部１１は、入力操作部５の操作内容を監視して、所定の入力操作が行われたことが確認された場合に、再生モード設定部１０におけるリピートモードの設定手段としての機能を制御するようになっている。
【００３４】
すなわち、制御部１１は、次の第１の入力操作の回数と第２の入力操作の回数との合計が所定回数（例えば、２回）に達した場合に、再生部８に対してリピートモードが設定されるように再生モード設定部１０を制御するようになっている。ただし、第１の入力操作の回数と第２の入力操作の回数との合計が所定回数に達することには、第１の入力操作の回数または第２の入力操作の回数のいずれか一方が所定回数、他方が０回の場合も含むものとする。
【００３５】
（第１の入力操作）
リピートモード以外の再生モード（例えば、通常モード）の設定状態におけるメディア３に記録されている任意の楽曲データの再生中において、当該任意の楽曲データの再生時間が当該任意の楽曲データの再生所要時間に対して所定の割合（例えば、９０％）以上の割合を示す再生時間となっている状況下で行われた当該任意の楽曲データをその先頭から再生するための入力操作部５を用いた入力操作。
【００３６】
（第２の入力操作）
リピートモード以外の再生モードの設定状態において、前記任意の楽曲データの再生終了後、当該任意の楽曲データの次に再生される楽曲データの再生が開始されてから所定時間内（例えば、５秒以内）に行われた当該任意の楽曲データをその先頭から再生するための入力操作部５を用いた入力操作。
【００３７】
ここで、このような制御部１１の制御によってリピートモードが設定される場合の第１の具体例としては、通常モードの設定状態における楽曲の順次再生中に、ある楽曲Ａが、その再生所要時間の９５％（但し、所定の割合以上の割合）に相当する再生時間まで再生が完了している時点で、入力操作部５を用いたトラックダウン操作（すなわち、第１の入力操作）が行われることによって、楽曲Ａの先頭から再び再生が開始された後、再生時間が再び９５％となった時点で２回目のトラックダウン操作（第１の入力操作）がなされた場合が挙げられる。ただし、トラックダウン操作とは、一曲戻り操作のことであり、現在再生されている楽曲（ここでは楽曲Ａ）の先頭に戻って再生を再開させるための入力操作をいう（以下、同様）。また、この第１の具体例においては、第１の入力操作の回数と第２の入力操作の回数との合計が所定回数としての２回に達することがリピートモードの設定のための条件とされており、このような条件の下で、第１の入力操作が２回（第２の入力操作は０回）行われること（条件が満足されること）によって、リピートモードが設定されたものとなっている。
【００３８】
さらに、制御部１１の制御によってリピートモードが設定される場合の第２の具体例としては、通常モードの設定状態において、楽曲Ａが、再生所要時間の９５％に相当する再生時間まで再生が完了している時点で、入力操作部５を用いたトラックダウン操作（第１の入力操作）が行われることによって、楽曲Ａの先頭から再び再生が開始された後、この楽曲Ａの再生が完了して次曲の楽曲Ｂの再生が開始されて４秒後（但し、前記所定時間内）に連続的な２回のトラックダウン操作（すなわち、第２の入力操作）が行われた場合を挙げることができる。なお、トラックダウン操作を連続的（間髪入れず）に２回行うことは、現在再生されている楽曲（ここでは楽曲Ｂ）の前曲（ここでは、楽曲Ａ）をその先頭から再生するための入力操作を意味している。また、この第２の具体例においても、第１の入力操作の回数と第２の入力操作の回数との合計が所定回数としての２回に達することがリピートモードの設定のための条件とされており、この条件の下で、第１の入力操作が１回、第２の入力操作が１回行われることによってリピートモードが設定されたものとなっている。
【００３９】
さらに、制御部１１の制御によってリピートモードが設定される場合の第３の具体例としては、通常モードの設定状態において、楽曲Ｂの再生が開始されて４秒後に連続的な２回のトラックダウン操作（第２の入力操作）が行われて楽曲Ａの先頭から再生が開始された後に、この楽曲Ａが、その再生所要時間の９５％に相当する再生時間まで再生が完了した時点でトラックダウン操作（第１の入力操作）が行われた場合を挙げることができる。この第３の具体例においても、第１の入力操作の回数と第２の入力操作の回数との合計が所定回数としての２回に達することがリピートモードの設定のための条件とされており、この条件の下で、第１の入力操作が１回、第２の入力操作が１回行われることによってリピートモードが設定されたものとなっている。
【００４０】
さらに、制御部１１の制御によってリピートモードが設定される場合の第４の具体例としては、通常モードの設定状態において、楽曲Ｂの再生が開始されて４秒後に連続的な２回のトラックダウン操作（第２の入力操作）が行われて楽曲Ａの先頭から再生が開始された後に、この楽曲Ａの再生が完了して再び楽曲Ｂの再生が開始されて４秒後に連続的な２回のトラックダウン操作（第２の入力操作）が再び行われた場合を挙げることができる。この第４の具体例においても、第１の入力操作の回数と第２の入力操作の回数との合計が所定回数としての２回に達することがリピートモードの設定のための条件とされており、この条件の下で、第２の入力操作が２回（第１の入力操作は０回）行われることによってリピートモードが設定されたものとなっている。
【００４１】
なお、再生部８が、楽曲データの再生時間を、当該楽曲データの付加情報（曲名等）と対応させた状態としてメモリ４に逐次記録するようにしてもよい。そして、制御部１１が、トラックダウン操作の直後におけるメモリ４に記録されている現在の再生時間が０秒であることを同一の楽曲について所定回数確認し、また、当該トラックダウン操作の時点における再生時間が、第１の入力操作の時間的条件（前記所定の割合）または第２の入力操作の時間的条件（前記所定時間内）を満足することを所定回数確認することで、第１の入力操作と第２の入力操作との回数の合計が所定回数に達したと判断してもよい。
【００４２】
したがって、本実施形態においては、第１の入力操作の回数と第２の入力操作の回数との合計が所定回数に達した場合には、リピートモードを設定するための煩雑な入力操作を要さずに制御部１１の制御によって自動的にリピートモードを設定することができるようになっている。
【００４３】
上記構成に加えて、さらに、本実施形態において、制御部１１は、再生モード設定部１０に対してリピートモードを設定した後に、このリピートモードによるリピート再生が行われている前記任意の楽曲データのリピート再生を終了させるための入力操作部５による入力操作が行われたことが確認された場合には、リピートモードの設定が解除されるように再生モード設定部１０を制御するようになっている。
【００４４】
ここで、前記リピート再生を終了させるための入力操作の一例としては、前記任意のオーディオデータ以外のオーディオデータを再生するための入力操作（例えば、次曲の再生に移行するためのトラックアップ操作）を挙げることができる。
【００４５】
また、前記リピート再生を終了させるための入力操作の他の一例としては、車載用オーディオ再生装置１を駆動する電源をオフにするための入力操作を挙げることができる。この場合における入力操作部５は、車両のイグニッション部となる。
【００４６】
したがって、本実施形態においては、簡便な操作によってリピートモードの設定を解除することができるようになっている。
【００４７】
次に、本実施形態の作用の一例について説明する。
【００４８】
なお、初期状態において、再生部８には、再生モード設定部１０によって通常モードが設定されており、この通常モードの設定状態において、メディア３に記憶されている楽曲データの順次再生が行われているものとする。
【００４９】
そして、初期状態から、まず、図２のステップ１（ＳＴ１）においては、制御部１１により、再生部８によって現在再生されている楽曲データに対して前述したトラックダウン操作が行われたか否かを判定し、行われた場合には、ステップ２（ＳＴ２）に進み、行われていない場合には、ステップ１（ＳＴ１）に戻る。
【００５０】
次いで、ステップ２（ＳＴ２）においては、制御部１１により、ステップ１（ＳＴ１）におけるトラックダウン操作が２連続操作であるか否かを判定し、２連続操作である場合には、ステップ３（ＳＴ３）に進み、そうでない場合（１回のみのトラックダウン操作の場合）には、ステップ１０（ＳＴ１０）に進む。
【００５１】
次いで、ステップ３（ＳＴ３）においては、ステップ１（ＳＴ１）におけるトラックダウン操作（２連続操作）が、当該操作が行われた際に再生されている楽曲データの再生開始から５秒以内に行われたか否かを判定し、５秒以内に行われた場合には、ステップ４（ＳＴ４）に進み、５秒を徒過した後に行われた場合には、ステップ１３（ＳＴ１３）に進む。
【００５２】
一方、ステップ１０（ＳＴ１０）においては、制御部１１により、ステップ１（ＳＴ１）におけるトラックダウン操作（１回の操作）が行われた際における楽曲データの再生時間が、当該楽曲データの再生所要時間に対して９０％以上となっているか否かを判定し、９０％以上となっている場合には、ステップ１１（ＳＴ１１）に進み、９０％未満の場合には、ステップ１３（ＳＴ１３）に進む。
【００５３】
次いで、ステップ４（ＳＴ４）においては、制御部１１により、第２の入力操作が行われたと判断してステップ５（ＳＴ５）に進む。
【００５４】
また、ステップ１１（ＳＴ１１）においては、制御部１１により、第１の入力操作が行われたと判断してステップ５（ＳＴ５）に進む。
【００５５】
次いで、ステップ５（ＳＴ５）においては、制御部１１により、第１の入力操作の回数と第２の入力操作の回数との合計が所定回数に達したか否かを判定し、達した場合には、ステップ６（ＳＴ６）に進み、達していない場合には、ステップ１（ＳＴ１）に戻る。
【００５６】
次いで、ステップ６（ＳＴ６）においては、制御部１１により、再生モード設定部１０を制御することによって再生部８に対してリピートモードを設定してステップ７（ＳＴ７）に進む。
【００５７】
次いで、ステップ７（ＳＴ７）においては、制御部１１により、リピート再生を終了させる操作（例えば、トラックアップ操作）が行われたか否かを判定し、行われた場合には、ステップ８（ＳＴ８）に進み、行われていない場合には、ステップ１２（ＳＴ１２）に進む。
【００５８】
ステップ８（ＳＴ８）においては、制御部１１による再生モード設定部１０の制御により、リピートモードの設定を解除してステップ９（ＳＴ９）に進む。なお、このリピートモードの設定の解除により、通常モードが復帰するようにしてもよい。
【００５９】
次いで、ステップ９（ＳＴ９）においては、制御部１１により、楽曲の再生動作の終了が指示されたか否かを判定し、指示された場合には処理を終了し、指示されていない場合には、ステップ１（ＳＴ１）に戻る。なお、ステップ７（ＳＴ７）において行われたリピート再生終了操作が電源をオフにする操作等の楽曲の再生を終了させる操作の場合には、ステップ９（ＳＴ９）の判定を飛ばしてリピートモードの設定の解除と同時に処理が終了されることになる。
【００６０】
一方、ステップ１２（ＳＴ１２）においては、リピートモードを維持してステップ９（ＳＴ９）に進む。
【００６１】
また、ステップ１３（ＳＴ１３）においては、通常モードの設定状態を維持してステップ９（ＳＴ９）に進む。
【００６２】
以上述べたように、本実施形態によれば、制御部１１による再生モード設定部１０の制御により、第１の入力操作の回数と第２の入力操作の回数との合計が所定回数に達した場合には、リピートモードを設定するための煩雑な入力操作を要さずに自動的にリピートモードを設定することができるため、ユーザの操作負担を軽減して利便性を向上させることができるとともに、ユーザの意思を反映したオーディオ再生を実現することができる。
【００６３】
なお、本発明は、前述した実施の形態に限定されるものではなく、必要に応じて種々の変更が可能である。
【００６４】
例えば、制御部１１の制御によってリピートモードが設定されるための条件となる第１の入力操作の回数と第２の入力操作の回数との合計（所定回数）については、ユーザ設定により任意に変更可能である。
【図面の簡単な説明】
【００６５】
【図１】本発明に係るオーディオ再生装置としての車載用オーディオ再生装置の実施形態を示すブロック図
【図２】本発明に係るオーディオ再生装置としての車載用オーディオ再生装置の実施形態を示すフローチャート
【符号の説明】
【００６６】
１  車載用オーディオ再生装置
３  メディア
８  再生部
１０  再生モード設定部
１１  制御部
【図１】
2010073232.tif 000003
【図２】
2010073232.tif 000004